(57)【要約】      （修正有）【課題】ナンバープレートと顔を同期識別できる装置及び方法を提供する。【解決手段】ウェアラブル装置１００において、画像キャプチャユニットは、画像のキャプチャに用いられる。データベースは、複数の顔データ及び複数のナンバープレートデータの保存に用いられる。中央演算処理装置は、画像を受像させると共に顔又はナンバープレートの識別を行って顔識別データ又はナンバープレート識別データを取得させるために用いられる。データベースからこれら顔データ及びこれらナンバープレートデータにアクセスされ、且つ顔識別データ又はナンバープレート識別データとの比較が行われる。データがデータベース中の顔データに符合する又はナンバープレート識別データがデータベース中のナンバープレートデータに符合する場合、中央演算処理装置により、少なくとも顔識別データ、ナンバープレート識別データの一方が表示ユニットに伝送されて表示される。【選択図】図１
2019086885.tif 000002
【特許請求の範囲】
【請求項１】
外部からの光線を受光して画像を形成させるために用いられるカメラレンズと、
前記画像のキャプチャに用いられる画像キャプチャユニットと、
複数の顔データ及び複数のナンバープレートデータの保存に用いられるデータベースと、
前記画像の受像に用いられると共に前記画像中から前記顔または前記ナンバープレート或いは前記顔及び前記ナンバープレートが識別されて顔識別データ或いはナンバープレート識別データが取得され、前記データベースからこれら前記顔データ及びこれら前記ナンバープレートデータにアクセスされ、且つ前記顔識別データまたは前記ナンバープレート識別データの比較が行われる中央演算処理装置と、
表示ユニットであって、前記顔識別データが前記データベース中のこれら前記顔データに符合する場合、または前記ナンバープレート識別データが前記データベース中のこれら前記ナンバープレートデータに符合する場合、或いは前記顔識別データが前記データベース中のこれら前記顔データに符合すると共に前記ナンバープレート識別データが前記データベース中のこれら前記ナンバープレートデータに符合する場合、前記中央演算処理装置により前記顔識別データまたは前記ナンバープレート識別データ或いは前記顔識別データ及び前記ナンバープレート識別データが同時に前記表示ユニットに伝送されて表示されることとを備えることを特徴とするナンバープレートと顔を同期識別できるウェアラブル装置。
【請求項２】
制御パネルを更に備え、前記画像は前記制御パネルを介して前記中央演算処理装置に伝送され、前記顔識別データまたは前記ナンバープレート識別データ或いは前記顔識別データ及び前記ナンバープレート識別データが同時に前記制御パネルを介して前記表示ユニットに伝送されることを特徴とする請求項１に記載のナンバープレートと顔を同期識別できるウェアラブル装置。
【請求項３】
前記データベースは、前記中央演算処理装置に接続されるホストデータベースを備えることを特徴とする請求項１に記載のナンバープレートと顔を同期識別できるウェアラブル装置。
【請求項４】
前記データベースは、ネットワークを経由して前記中央演算処理装置に接続されるクラウドデータベースを更に備えることを特徴とする、請求項３に記載のナンバープレートと顔を同期識別できるウェアラブル装置。
【請求項５】
前記データベースは、ネットワークを経由して前記中央演算処理装置に接続されるクラウドデータベースを備えることを特徴とする請求項１に記載のナンバープレートと顔を同期識別できるウェアラブル装置。
【請求項６】
前記表示ユニットは第一表示装置を備え、前記画像光線が前記第一表示装置に伝送されて表示され、前記顔識別データが前記データベース中のこれら前記顔データに符合する場合、または前記ナンバープレート識別データが前記データベース中のこれら前記ナンバープレートデータに符合する場合、或いは前記顔識別データが前記データベース中のこれら前記顔データに符合すると共に前記ナンバープレート識別データが前記データベース中のこれら前記ナンバープレートデータに符合する場合、前記中央演算処理装置により前記顔識別データまたは前記ナンバープレート識別データ或いは前記顔識別データ及び前記ナンバープレート識別データが同時に前記第一表示装置に伝送されて表示されることを特徴とする請求項１に記載のナンバープレートと顔を同期識別できるウェアラブル装置。
【請求項７】
前記画像がキャプチャされると共に熱画像が生成されるサーマルモジュールを更に備え、前記表示ユニットは第二表示装置を更に備え、前記熱画像が前記第二表示装置に伝送されて表示されることを特徴とする、請求項６に記載のナンバープレートと顔を同期識別できるウェアラブル装置。
【請求項８】
サーマルモジュールを更に備え、前記画像光線がキャプチャされると共に熱画像が生成され、前記熱画像が前記表示ユニットに伝送されて表示されることを特徴とする請求項１に記載のナンバープレートと顔を同期識別できるウェアラブル装置。
【請求項９】
画像キャプチャ装置を有するウェアラブル装置が提供される工程と、
前記画像キャプチャ装置により画像がキャプチャされる工程と、
前記画像中から顔またはナンバープレートが検知されたか否かの判断が下される工程と、
顔またはナンバープレートが検知された場合、検知された前記顔または前記ナンバープレートに対する分析が行われると共に顔識別データ或いはナンバープレート識別データが生成される工程と、
前記顔識別データまたは前記ナンバープレート識別データとデータベース中の複数の顔データ及び複数のナンバープレートデータとの比較が行われる工程と、
前記顔識別データまたは前記ナンバープレート識別データが前記データベース中のこれら前記顔データ及びこれら前記ナンバープレートデータに符合する場合、前記顔識別データまたは前記ナンバープレート識別データが表示される工程とを含むことを特徴とするナンバープレートと顔を同期識別する方法。
【請求項１０】
前記データベースはホストデータベース及びクラウドデータベースを含み、前記ホストデータベースは前記ウェアラブル装置に設けられ、前記クラウドデータベースはネットワークを経由して前記ウェアラブル装置に接続され、また、前述の前記顔識別データまたは前記ナンバープレート識別データとデータベース中の複数の顔データ及び複数のナンバープレートデータとの比較が行われる工程は、
前記顔識別データまたは前記ナンバープレート識別データと前記ホストデータベース中の複数の顔データ及び複数のナンバープレートデータとの比較が行われる工程と、
前記顔識別データまたは前記ナンバープレート識別データが前記ホストデータベース中のこれら前記顔データ及びこれら前記ナンバープレートデータに符合しない場合、前記顔識別データまたは前記ナンバープレート識別データと前記クラウドデータベース中の複数の顔データ及び複数のナンバープレートデータとの比較が行われる工程とを含むことを特徴とする請求項９に記載のナンバープレートと顔を同期識別する方法。
【発明の詳細な説明】
【技術分野】
【０００１】
本発明は、ナンバープレートと顔を同期識別できるウェアラブル装置、及びナンバープレートと顔を同期識別する方法に関する。
【背景技術】
【０００２】
一般的な交通の取り締まりや警察の捜査の過程では、人及び車両を特定する必要がある。警察は身分証明書やナンバープレートをキーボードや手書きで電子装置に入力し、データベースに接続して照会を行う。
【発明の概要】
【発明が解決しようとする課題】
【０００３】
しかしながら、前述した従来の技術では、すなわち、上述したように、このような作業には一定の時間がかかるため、初動捜査が難航することがあった。
【０００４】
そこで、本発明者は上記の欠点が改善可能と考え、鋭意検討を重ねた結果、合理的設計で上記の課題を効果的に改善する本発明の提案に到った。
【０００５】
かかる従来の実情に鑑みて、本発明は、ナンバープレートと顔を同期識別できるウェアラブル装置、及びナンバープレートと顔を同期識別する方法を提供することを目的とする。すなわち、顔またはナンバープレートの画像をキャプチャし、識別を行い、その後データベース中の顔及びナンバープレートのデータとの比較を行うことにより、目の前の人間や車両が捜査対象であるかどうかを即時に確認可能になる。
【課題を解決するための手段】
【０００６】
上述した課題を解決し、目的を達成するために、本発明に係るナンバープレートと顔を同期識別できるウェアラブル装置は、
外部からの光線を受光して画像を形成させるために用いられるカメラレンズと、前記画像のキャプチャに用いられる画像キャプチャユニットと、
複数の顔データ及び複数のナンバープレートデータの保存に用いられるデータベースと、前記画像の受像に用いられると共に前記画像中から前記顔または前記ナンバープレート或いは前記顔及び前記ナンバープレートが識別されて顔識別データ或いはナンバープレート識別データが取得され、前記データベースからこれら前記顔データ及びこれら前記ナンバープレートデータにアクセスされ、且つ前記顔識別データまたは前記ナンバープレート識別データの比較が行われる中央演算処理装置と、表示ユニットであって、前記顔識別データが前記データベース中のこれら前記顔データに符合する場合、または前記ナンバープレート識別データが前記データベース中のこれら前記ナンバープレートデータに符合する場合、或いは前記顔識別データが前記データベース中のこれら前記顔データに符合すると共に前記ナンバープレート識別データが前記データベース中のこれら前記ナンバープレートデータに符合する場合、前記中央演算処理装置により前記顔識別データまたは前記ナンバープレート識別データ或いは前記顔識別データ及び前記ナンバープレート識別データが同時に前記表示ユニットに伝送されて表示されることとを備える。
【０００７】
また、本発明に係るナンバープレートと顔を同期識別できる方法は、
画像キャプチャ装置を有するウェアラブル装置が提供される工程と、前記画像キャプチャ装置により画像がキャプチャされる工程と、前記画像中から顔またはナンバープレートが検知されたか否かの判断が下される工程と、顔またはナンバープレートが検知された場合、検知された前記顔または前記ナンバープレートに対する分析が行われると共に顔識別データ或いはナンバープレート識別データが生成される工程と、前記顔識別データまたは前記ナンバープレート識別データとデータベース中の複数の顔データ及び複数のナンバープレートデータとの比較が行われる工程と、前記顔識別データまたは前記ナンバープレート識別データが前記データベース中のこれら前記顔データ及びこれら前記ナンバープレートデータに符合する場合、前記顔識別データまたは前記ナンバープレート識別データが表示される工程とを含む。
【発明の効果】
【０００８】
本発明に係るナンバープレートと顔を同期識別できるウェアラブル装置、及びナンバープレートと顔を同期識別する方法は、目の前の人間や車両が捜査対象であるかどうかを即時に確認可能になる。
【図面の簡単な説明】
【０００９】
【図１】本発明の第１実施形態によるナンバープレートと顔を同期識別できるウェアラブル装置を示すブロック図である。
【図２】本発明の第２実施形態によるナンバープレートと顔を同期識別できる方法を示すフローチャートである。
【発明を実施するための形態】
【００１０】
以下に図面を参照して、本発明を実施するための形態について、詳細に説明する。なお、本発明は、以下に説明する実施形態に限定されるものではない。
【００１１】
以下、図１及び２を参照しながら、本発明をさらに詳しく説明する。
【実施形態】
【００１２】
（第１実施形態）
図１は本発明の第１実施形態によるナンバープレートと顔を同期識別できるウェアラブル装置を示すブロック図である。本発明のナンバープレートと顔を同期識別できるウェアラブル装置１００は、カメラレンズ１０と、画像キャプチャユニット２０と、データベース３０と、中央演算処理装置４０と、表示ユニット５０とを備える。カメラレンズ１０は外部からの光線を受光させて画像を形成させるために用いられ、画像キャプチャユニット２０は前記画像のキャプチャに用いられる。本実施形態では、画像キャプチャユニット２０は電荷結合素子(charge-coupled device、CCD)または相補型MOS(CMOS)の撮像素子であり、データベース３０は複数の顔データ及び複数のナンバープレートデータの保存に用いられ、例えば探したい人やナンバープレートのデータが保存される。中央演算処理装置４０は画像キャプチャユニット２０によりキャプチャされた画像の受像に用いられると共に画像中から顔またはナンバープレート或いは顔及びナンバープレートを同時に識別させて顔識別データまたはナンバープレート識別データを取得させる。顔の識別及びナンバープレートの識別には従来の顔の視覚的特徴識別技術及び画像処理技術が使用されるため、再述はしない。その後データベース３０から予め保存された上述の顔データ及び上述のナンバープレートデータにアクセスされ、且つ顔識別データまたはナンバープレート識別データとの比較が行われる。顔識別データがデータベース３０中の顔データに符合する場合、またはナンバープレート識別データがデータベース３０中のナンバープレートデータに符合する場合、或いは顔識別データがデータベース３０中の顔データに符合すると共にナンバープレート識別データがデータベース中のナンバープレートデータに符合する場合、中央演算処理装置４０により顔識別データまたはナンバープレート識別データ或いは顔識別データ及びナンバープレート識別データが同時に表示ユニット５０に伝送されて表示される。
【００１３】
また、本発明のナンバープレートと顔を同期識別できるウェアラブル装置１００は、制御パネル６０を更に備える。画像は制御パネル６０を介して中央演算処理装置４０に伝送され、上述の識別過程を経た後の顔識別データまたはナンバープレート識別データ或いは顔識別データ及びナンバープレート識別データが同時に制御パネル６０を介して表示ユニット５０に伝送されて表示される。制御パネル６０はアナログ／デジタル変換ユニットを含む。アナログ信号の画像がデジタル信号に変換された後、中央演算処理装置４０に伝送されて識別及び比較が行われ、データベース３０のデータに符合するか識別された後のデータもアナログ／デジタル変換ユニットによりアナログ信号に変換されて表示ユニット５０に出力され、或いは音声信号が生成されてスピーカー(図示せず)に出力される。
【００１４】
なお、本発明のナンバープレートと顔を同期識別できるウェアラブル装置１００は、サーマルモジュール７０を更に備える。カメラレンズにより生成された画像がキャプチャされることにより熱画像が生成される。表示ユニット５０は第一表示装置５２及び第二表示装置５４を含む。画像光線が第一表示装置５２に伝送されて表示され、熱画像が第二表示装置５４に伝送されて表示される。顔識別データがデータベース３０中のこれら前記顔データに符合する場合、またはナンバープレート識別データがデータベース３０中のこれら前記ナンバープレートデータに符合する場合、或いは顔識別データがデータベース中のこれら前記顔データに符合すると共に前記ナンバープレート識別データが前記データベース中のこれら前記ナンバープレートデータに符合する場合、中央演算処理装置４０により顔識別データまたはナンバープレート識別データ或いは顔識別データ及びナンバープレート識別データが同時に第一表示装置５２に伝送されて表示される。
【００１５】
データベース３０はホストデータベース３２及びクラウドデータベース３４を備え、ホストデータベース３２はウェアラブル装置１００中に設けられると共に中央演算処理装置４０に接続され、クラウドデータベース３４はネットワークを経由して中央演算処理装置４０に接続される。上述のネットワークはワイヤレスネットワークでも有線ネットワークでもよく、限定されない。ホストデータベース３２に保存される顔データ及びナンバープレートデータはクラウドデータベース３４中の顔データ及びナンバープレートデータと同じでもよく、或いはホストデータベース３２に保存される顔データ及びナンバープレートデータはクラウドデータベース３４中の顔データ及びナンバープレートデータとは異なってもよい。
【００１６】
さらに、本発明のナンバープレートと顔を同期識別できるウェアラブル装置１００は、中央演算処理装置４０に接続される電源８０を更に備える。本実施形態では、電源８０は電池である。他の実施形態では、本発明のナンバープレートと顔を同期識別できるウェアラブル装置１００は、中央演算処理装置４０に接続される電源制御パネル９０を更に含む。外部電源は電源制御パネル９０を経由して中央演算処理装置４０に接続される。これにより、外部電源から本発明に係るナンバープレートと顔を同期識別できるウェアラブル装置１００に対する給電、または電源８０に対する充電が行われる。
【００１７】
（第２実施形態）
図２は本発明の第２実施形態によるナンバープレートと顔を同期識別できる方法を示すフローチャートである。工程Ｓ１において、画像キャプチャ装置を有するウェアラブル装置が提供される。次に、工程Ｓ２に進み、ウェアラブル装置の画像キャプチャ装置により画像がキャプチャされた後、工程Ｓ３に進む。工程Ｓ３では、画像中から顔またはナンバープレートが検知されたか否かの判断が下され、その後に工程Ｓ４に進み、顔またはナンバープレートが検知された場合、検知された顔またはナンバープレートに対する分析が行われると共に顔識別データまたはナンバープレート識別データが生成され、その後に工程Ｓ５に進む。工程Ｓ５では、前記顔識別データまたは前記ナンバープレート識別データとホストデータベース中の複数の顔データ及び複数のナンバープレートデータとの比較が行われ、続いて工程Ｓ６に進む。工程Ｓ６において、前記顔識別データまたは前記ナンバープレート識別データがホストデータベース中の複数の顔データ及び複数のナンバープレートデータに符合するか否かの判断が下され、顔データまたはナンバープレートデータに符合する場合、工程Ｓ７に進む。工程Ｓ７では、前記顔識別データまたは前記ナンバープレート識別データが表示される。顔データまたはナンバープレートデータに符合しない場合、工程Ｓ８に進み、工程Ｓ８では、顔識別データまたはナンバープレート識別データとクラウドデータベース中の複数の顔データ及び複数のナンバープレートデータとの比較が行われた後、工程Ｓ９に進む。工程Ｓ９において、顔識別データまたはナンバープレート識別データがクラウドデータベース中の複数の顔データ及び複数のナンバープレートデータに符合するか否かの判断が下される。符合する場合、工程Ｓ７に戻り、前記顔識別データまたは前記ナンバープレート識別データが表示される。符合しない場合、工程Ｓ２に戻り、ウェアラブル装置の画像キャプチャ装置により継続的に画像のキャプチャが行われる。
【００１８】
本発明に係るナンバープレートと顔を同期識別できるウェアラブル装置、及びナンバープレートと顔を同期識別する方法により、目の前の人間及び車両が捜査対象であるかどうかを即時に確認可能になるため、交通管理及び刑事捜査等の範囲に応用可能である。
【００１９】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００２０】
１０：カメラレンズ
２０：画像キャプチャユニット
３０：データベース
３２：ホストデータベース
３４：クラウドデータベース
４０：中央演算処理装置
５０：表示ユニット
５２：第一表示装置
５４：第二表示装置
６０：制御パネル
７０：サーマルモジュール
８０：電源
９０：電源制御パネル
１００：ナンバープレートと顔を同期識別できるウェアラブル装置
Ｓ１：工程
Ｓ２：工程
Ｓ３：工程
Ｓ４：工程
Ｓ５：工程
Ｓ６：工程
Ｓ７：工程
Ｓ８：工程
Ｓ９：工程
【図１】
2019086885.tif 000003
【図２】
2019086885.tif 000004